(57)【要約】【課題】複数のサブキャリアを利用して通信する通信装置においてエラーの少ない安定した通信を実現する。【解決手段】複数のサブキャリアを利用して通信する通信装置において、複数のサブキャリアから、同一のデータを送信するための２以上のサブキャリアを割当てる割当手段と、割り当てられたサブキャリアによって同一のデータを送信する送信手段と、送信したデータを受信する外部装置からの受信に関する情報又は、使用する周波数帯のノイズ状況に関する情報を取得する取得手段と、情報取得の結果に基づいて前記割当手段によるサブキャリアの割当を変更するよう制御する制御手段と、を備える。【選択図】図２
2009077302.tif 000002
【特許請求の範囲】
【請求項１】
複数のサブキャリアを利用して通信する通信装置であって、
前記複数のサブキャリアから、同一のデータを送信するための２以上のサブキャリアを割当てる割当手段と、
前記割当手段により割り当てられたサブキャリアによって同一のデータを送信する送信手段と、
前記送信手段により送信したデータを受信する外部装置からの受信に関する情報又は、使用する周波数帯のノイズ状況に関する情報を取得する取得手段と、
前記取得手段による情報取得の結果に基づいて前記割当手段によるサブキャリアの割当を変更するよう制御する制御手段と、
を備えることを特徴とする通信装置。
【請求項２】
前記制御手段は、前記受信に関する情報としての前記データに関する受信エラー情報に基づいて前記割当手段によるサブキャリアの割当を変更するよう制御することを特徴とする請求項１に記載の通信装置。
【請求項３】
前記制御手段は、前記受信に関する情報としてのサブキャリアの配置変更要求に基づいて前記割当手段によるサブキャリアの割当を変更するよう制御することを特徴とする請求項１に記載の通信装置。
【請求項４】
前記制御手段は、前記送信手段によるデータの送信後、該データに関する前記受信に関する情報を前記取得手段が取得できなかった場合に、前記割当手段によるサブキャリアの割当を変更するよう制御することを特徴とする請求項１に記載の通信装置。
【請求項５】
前記制御手段は、前記取得手段により取得した情報に基づいて使用する周波数帯のノイズが所定値を超えると判断すると、前記割当手段によるサブキャリアの割当を変更するよう制御することを特徴とする請求項１に記載の通信装置。
【請求項６】
前記割当手段は、同一のデータを伝送する前記２以上のサブキャリアの周波数間隔が、異なるデータ各々について等しくなるように割当てることを特徴とする請求項１に記載の通信装置。
【請求項７】
前記通信装置は、直交周波数分割多重（ＯＦＤＭ）通信方式の通信装置であることを特徴とする請求項１に記載の通信装置。
【請求項８】
複数のサブキャリアを利用して通信する通信装置の制御方法であって、
前記複数のサブキャリアから、同一のデータを送信するための２以上のサブキャリアを割当てる割当工程と、
前記割当工程により割り当てられたサブキャリアによって同一のデータを送信する送信工程と、
前記送信工程により送信したデータを受信する外部装置からの受信に関する情報又は、使用する周波数帯のノイズ状況に関する情報を取得する取得工程と、
前記取得工程における情報取得の結果に基づいて前記割当工程によるサブキャリアの割当を変更するよう制御する制御工程と、
を備えることを特徴とする通信装置の制御方法。
【請求項９】
複数のサブキャリアを利用して通信を行う、送信装置と受信装置とを含む通信システムであって、
前記送信装置は、
前記複数のサブキャリアから、データを送信するための２以上のサブキャリアを割当てる割当手段と、
割当手段により割り当てられたサブキャリアによってデータを送信する送信手段と、
前記送信手段により送信したデータを受信する受信装置からの受信に関する情報又は、使用する周波数帯のノイズ状況に関する情報を取得する取得手段と、
前記取得手段による情報取得の結果に基づいて前記割当手段によるサブキャリアの割当を更新するよう制御する制御手段と、
を備え、
前記受信装置は、
前記送信装置から送信される複数のサブキャリアを受信する受信手段と、
受信したサブキャリアにより得られる情報に基づいて、同一のデータを受信するサブキャリアを判定する判定手段と、
判定されたサブキャリアで送信されるデータを受信するデータ受信手段と、
前記受信手段におけるデータの受信状態に基づいて受信に関する情報を前記送信装置へ送信する受信情報送信手段と、
を備える、
ことを特徴とする通信システム。
【発明の詳細な説明】
【技術分野】
【０００１】
本発明は、複数の搬送波を用いて通信を行う通信技術に関するものである。
【背景技術】
【０００２】
近年、通信分野においては大容量通信の必要性と耐マルチパス特性から直交周波数分割多重（ＯＦＤＭ：Orthogonal Frequency Division Multiplexing）を用いた通信方式が注目を集めている。特に無線通信分野においては、無線ＬＡＮのＩＥＥＥ８０２．１１ａ／ｇ標準規格、地上波デジタルテレビ放送に採用されている。あるいは、ＵＷＢ（Ultra Wideband）通信のひとつであるＷｉＭｅｄｉａのマルチバンドＯＦＤＭ（ＥＣＭＡ−３６８；非特許文献１）などにも採用されている。特に、ＯＦＤＭ通信においてはマルチパスによるフェージングが生じたとしても、受信側でチャネル補正が可能であるため、通信に対する影響を小さくできるというメリットがある。
【非特許文献１】ＥＣＭＡ−３６８  High Rate Ultra Wideband PHY and MAC Standard、Ｅｃｍａ  Ｉｎｔｅｒｎａｔｉｏｎａｌ、２００５年
【発明の開示】
【発明が解決しようとする課題】
【０００３】
しかしながら、ＥＣＭＡ−３６８規格に準拠した無線通信においては、中心周波数付近の周波数帯がマルチパスフェージングを受けた場合、同一データを伝送する複数のサブキャリアが同時に影響を受けることになる。そのため、中心周波数付近の周波数帯がフェージングを受けた場合、エラーレートが高くなるという問題があった。また、他の通信を検出した場合、その帯域のサブキャリアの送信を抑制した通信を行うＤＡＡ（Detect and Avoidance）という機能がある。中心周波数付近で他の通信を検出した場合、このＤＡＡの機能により、同一データを伝送する複数のサブキャリアを同時に抑制した場合、エラーが発生する確率が高くなるという問題があった。
【課題を解決するための手段】
【０００４】
上述の問題点を解決するため、本発明の通信装置は以下の構成を備える。すなわち、複数のサブキャリアを利用して通信する通信装置であって、前記複数のサブキャリアから、同一のデータを送信するための２以上のサブキャリアを割当てる割当手段と、前記割当手段により割り当てられたサブキャリアによって同一のデータを送信する送信手段と、前記送信手段により送信したデータを受信する外部装置からの受信に関する情報又は、使用する周波数帯のノイズ状況に関する情報を取得する取得手段と、前記取得手段による情報取得の結果に基づいて前記割当手段によるサブキャリアの割当を変更するよう制御する制御手段と、を備える。
【０００５】
上述の問題点を解決するため、本発明の通信装置の制御方法は以下の構成を備える。すなわち、複数のサブキャリアを利用して通信する通信装置の制御方法であって、前記複数のサブキャリアから、同一のデータを送信するための２以上のサブキャリアを割当てる割当工程と、前記割当工程により割り当てられたサブキャリアによって同一のデータを送信する送信工程と、前記送信工程により送信したデータを受信する外部装置からの受信に関する情報又は、使用する周波数帯のノイズ状況に関する情報を取得する取得工程と、前記取得工程における情報取得の結果に基づいて前記割当工程によるサブキャリアの割当を変更するよう制御する制御工程と、を備える。
【０００６】
上述の問題点を解決するため、本発明の通信システムは以下の構成を備える。すなわち、複数のサブキャリアを利用して通信を行う、送信装置と受信装置とを含む通信システムであって、前記送信装置は、前記複数のサブキャリアから、データを送信するための２以上のサブキャリアを割当てる割当手段と、割当手段により割り当てられたサブキャリアによってデータを送信する送信手段と、前記送信手段により送信したデータを受信する受信装置からの受信に関する情報又は、使用する周波数帯のノイズ状況に関する情報を取得する取得手段と、前記取得手段による情報取得の結果に基づいて前記割当手段によるサブキャリアの割当を更新するよう制御する制御手段と、を備え、前記受信装置は、前記送信装置から送信される複数のサブキャリアを受信する受信手段と、受信したサブキャリアにより得られる情報に基づいて、同一のデータを受信するサブキャリアを判定する判定手段と、判定されたサブキャリアで送信されるデータを受信するデータ受信手段と、前記受信手段におけるデータの受信状態に基づいて受信に関する情報を前記送信装置へ送信する受信情報送信手段と、を備える。
【発明の効果】
【０００７】
本発明によれば、マルチキャリア通信を安定して行うことのできる技術を提供することができる。
【発明を実施するための最良の形態】
【０００８】
以下に、図面を参照して、この発明の好適な実施の形態を詳しく説明する。なお、以下の実施の形態はあくまで例示であり、本発明の範囲を限定する趣旨のものではない。
【０００９】
（第１実施形態）
本発明に係る通信システムの第１実施形態として、ＥＣＭＡ−３６８規格に準拠した送信装置および受信装置を含む無線通信システムを例に挙げて以下に説明する。通信方式としては、直交周波数分割多重（ＯＦＤＭ：Orthogonal Frequency Division Multiplexing）を用いる。
【００１０】
＜装置構成＞
図１は、第１実施形態に係る無線通信システムの構成を示す図である。１０は送信装置、２０は受信装置を示している。便宜上、送信装置１０と受信装置２０を分けているが、送信装置１０には、受信装置２０に対応する受信部を有する。また、受信装置２０も送信装置１０に対応する送信部を有する。
【００１１】
・送信装置１０
１０１は、送信するデータの畳み込み符号化とパンクチャを行う符合化部である。１０２は、符号化部１０１で符号化されたデータのインターリーブ処理を行うインターリーバである。１０３は、インターリーバ１０２でインターリーブされたデータをパラレルデータに変換するシリアル−パラレル（Ｓ／Ｐ）変換部である。１０４は、Ｓ／Ｐ変換部でパラレルデータに変換されたデータの複数（２以上）のサブキャリアへの割当て（マッピング）を行うマッパである。具体的には、後述するＦＤＳ，ＴＤＳやＤＣＭの処理を行い、同一のデータを複数のサブキャリアにマッピングする。
【００１２】
１０５は、サブキャリア配置設定部であり、送信するデータに対しサブキャリアの配置を設定する。具体的には、マッパ１０４でマッピングされたサブキャリア配置のほか、後述する受信装置２０からのサブキャリア配置換えの要求に基づき、サブキャリアの配置を設定する。１０６は、パイロット生成部でありパイロット信号として送信されることになるデータを生成する。
【００１３】
１０７は、ＩＦＦＴ部であり、サブキャリア配置設定部１０５およびパイロット生成部１０６から入力されるデータ、および、図示していないダミーサブキャリア用のデータ、及びゼロ（ヌル）サブキャリアを合成してＩＦＦＴ（逆ＦＦＴ）処理を行う。ＥＣＭＡ−３６８規格では、１２８ポイントのＩＦＦＴ処理が行われる。
【００１４】
１０８は、ＩＦＦＴ部１０７により時間領域のデータに変換されたデータに対し、シンボル毎にゼロプレフィックスとガードインターバルの無信号期間を付加するＰＦ・ＧＩ付加部である。また、図示していないがパケット毎にプリアンブルが付加されベースバンド信号が生成される。周波数変換器１０９は、ベースバンド信号を予め設定されたチャネルに応じて周波数変換する。特に、周波数変換のパターンを指定するＴＦＣ（Time-Frequency Code）パラメータが”１”または”２”の場合は１シンボル毎に周波数ホッピングを行う。一方、ＴＦＣパラメータが”３”または”４”の場合は２シンボル毎に周波数ホッピングを行う。そして、周波数変換された信号はアンテナ１１０を介して送信される。
【００１５】
なお、図には示していないが、受信装置２０からの信号を受信するための受信部をさらに備えている。詳細は後述するが、当該受信部は、送信装置１０が送信したデータの受信装置２０での受信に関する情報を受信する（受信情報取得手段）。
【００１６】
・受信装置２０
２１０はアンテナであり、送信装置１０のアンテナ１１０から送信された信号を受信する。２０９は周波数変換部であり、受信された信号のプリアンブルパターンに基づきチャネル推定を行い、推定されたチャネルのＴＦＣパラメータ対応した周波数変換を行う。そして、ベースバンド信号が生成される。２０８は、ベースバンド信号からゼロプレフィックスおよびガードインターバルの除去を行うＰＦ・ＧＩ除去部である。
【００１７】
２０７は、ＦＦＴ部であり、ＰＦ・ＧＩ除去部２０８から入力されるデータに対しＦＦＴ処理を行う。ＥＣＭＡ−３６８規格では、１２８ポイントのＦＦＴ処理が行われる。その後、パイロット除去部２０６によりパイロット信号を除去する。また、図示していないダミーサブキャリアに対応するデータとゼロサブキャリアの除去を行う。
【００１８】
２０５は、サブキャリア配置設定部であり、ＦＦＴ部２０７から入力されるデータの各々がどのサブキャリアに対応するものであるかを設定する。例えば、後述するサブキャリア配置換えの要求を送信後に受信するデータに適応し、送信側に指示したサブキャリアの配置に設定する。つまり、送信装置１０におけるサブキャリア配置設定部１０５の設定に対応するサブキャリア配置となるよう設定する。
【００１９】
２０４は、各サブキャリアにマッピングしたデータを元に戻すデマッパである。つまり、ＦＤＳ，ＴＤＳあるいはＤＣＭで複数のサブキャリアにより伝送した同一のデータの合成を行う。２０３は、デマッパ２０４から入力されるデータをシリアルデータに変換するパラレル−シリアル（Ｐ／Ｓ）変換部である。２０２は、送信装置１０でインターリーブされたデータを元に戻すデインタリーバである。そして、ビタビ復号部２０１では、符号化されたデータの復号を行う。
【００２０】
なお、図には示していないが、送信装置１０に信号を送信するための送信部をさらに備えている。詳細は後述するが、当該送信部は、送信装置１０が送信したデータの受信装置２０での受信に関する情報を送信する（受信情報送信手段）。
【００２１】
＜データの送信動作＞
前述したように、ＥＣＭＡ−３６８においては同じデータを複数回送信する構成をとる。つまり、送信するデータに冗長性を持たせることにより通信の安定性を向上させているのである。具体的な方式としては、ＦＤＳ（Frequency Domain Spreading）、ＴＤＳ（Time Domain Spreading）、および、ＤＣＭ（Dual Carrier Modulation）が規定されている。そして、同一のデータを異なる周波数や時間で２回送信する。または、ＦＤＳとＴＤＳの両方を組み合わせて４回送信する。
【００２２】
図７〜図９は、それぞれ、ＦＤＳ、ＴＤＳおよびＤＣＭによるデータ送信の概念図である。図７〜図９のそれぞれにおいて、図面下部に示される矢印で結ばれたサブキャリアは同一のデータを送信している。また、サブキャリアの番号が四角で囲まれたものはパイロットサブキャリアを示している。
【００２３】
図７に示されるように、ＦＤＳにおいては、同一データを伝送するサブキャリアは複素共役の信号である。一方、図８に示されるように、ＴＤＳにおいては、１次変調の信号点の配置が異なるよう設定されている。なお、１回目のシンボルと同一データで構成された２回目のシンボルとの間で符号の演算が行われるが、説明を簡単にするために図では省略している。さらに、図９に示されるように、ＤＣＭにおいては、ＴＤＳと同様１次変調の信号点の配置が異なるよう設定されている。
【００２４】
ところで、ＥＣＭＡ−３６８規格においては通信チャネルによって周波数ホッピングパターンが異なる。また、データレートが異なると同じデータを送信する場合の配置の仕方が異なる。
【００２５】
そして、周波数チャネルホッピングをしないチャネル（ＴＦＣ５〜７）であり、かつ、伝送レートが５３．３〜２００Ｍｂｐｓである場合、中心周波数から高周波数側／低周波数側に同じ周波数だけ離れたサブキャリアで同一のデータを送信する構成をとる。
【００２６】
図２は、マルチパスフェージングを受けている信号の受信スペクトルを模式的に表した図である。ここでは、中心周波数付近（サブキャリアの番号が小さい部分）でマルチパスフェージングを受けている様子を示している。なお、図において、縦軸は受信強度であり、横軸は周波数である。
【００２７】
送信装置１０の説明で述べたように、ＥＣＭＡ−３６８標準規格においては、ＯＦＤＭでの変調時に１２８ポイントのＩＦＦＴを行っている。そのうち、６個はゼロサブキャリアとして使用されない。そのため、全部で、１２２個のサブキャリアの周波数位置が存在する。
【００２８】
そして、中心周波数の位置のゼロサブキャリアの両側の各々に６１本のサブキャリアが配置される。なおサブキャリアの間隔は４．１２５ＭＨｚである。以下では、計１２２本（＝６１本×２）のサブキャリア番号（サブキャリアの周波数位置）を周波数の低い方から順に、
＃−６１、＃−６０、．．．、＃−２、＃−１、＃＋１、＃＋２、．．．、＃＋６０、＃＋６１
のように番号を付して説明する。
【００２９】
なお、ここで＃±５，＃±１５，＃±２５，・・・＃±５５のサブキャリアはパイロットである。各パイロットサブキャリアは、送受信装置間の周波数のずれによる信号点の位相ずれを調整するため、複数のサブキャリア内で均等に配置されている。データは＃±１〜５６までのサブキャリアで送信される。＃±５７〜６１のサブキャリアは＃±５２〜５６のサブキャリアのコピーのダミーデータである。なお、中心周波数部分（＃−１と＃＋１との間）にはサブキャリアは配置されない。
【００３０】
図２（ａ）は、ＦＤＳを使用する場合のサブキャリアの配置とフェージングによる信号の減衰との関係を示す図である。前述したように、ＦＤＳにおいては中心周波数から等距離にあるサブキャリアが複素共役のデータを伝送している。そのため、図から明らかなように、サブキャリア＃±１に配置された同一の２つのデータは共にフェージングの影響を大きく受ける。そのため、各々のサブキャリアで送信されたデータの双方が、エラーになりやすい。
【００３１】
そこで、第１実施形態では、受信装置２０はサブキャリアの配置換えの要求を送信装置１０に送信する。ここでは、具体的には、図２（ｂ）に示すように、サブキャリア＃＋１〜５６の順番を入れ替える。この様な配置とすることで、２つのサブキャリアで送信された同一のデータの少なくとも一方はフェージングの影響を受けにくくすることができる。
【００３２】
例えば、もともとは＃±１のサブキャリアにおいて送信されていた同一の２つのデータは、＃＋１及び＃−５６のサブキャリアにより送信されることになる。そのため、＃−５６で送信されるデータはフェージングの影響を回避することができる。
【００３３】
なお、図２（ｂ）の例では、サブキャリア＃＋１〜＃＋６１までのデータサブキャリアのみ配置換えを行っている。そのため、同一データを伝送する各サブキャリアの周波数差はパイロットサブキャリアの前後で１サブキャリア分だけずれることになる。
【００３４】
しかしながら、サブキャリアの総数（ここでは１２２個）が多い場合、同一データを伝送する各サブキャリアの周波数差はほぼ等しい。そのため、同一データを伝送する各サブキャリアの周波数差が完全に等しい場合とほぼ同等のフェージング耐性が得られる。
【００３５】
ここでは、ＦＤＳの場合について説明したが、ＴＤＳの場合でも同様にしてフェージングによる受信エラーを低減することが可能である。
【００３６】
また、ＵＷＢのような広帯域通信においては通信帯域内に複数のフェージングが観測される場合がある。この場合にはＤＣＭを用いても同一データを伝送するサブキャリアがともにフェージングの影響を受ける可能性がある。そうした場合であっても、再送時のサブキャリア配置を変更する本発明の手法は有効である。
【００３７】
＜データ送信の動作フロー＞
図３は、第１実施形態に係る無線通信システムにおける動作フローチャートである。なお、データ送信の開始時点（初期状態）では、図２（ａ）のサブキャリア配置でデータを送信しているものとする。つまり、送信装置１０は、図２（ａ）のサブキャリア配置となるようサブキャリア配置設定部１０５を制御し設定している。また、受信装置２０は、図２（ａ）のサブキャリア配置でデータを受信するようサブキャリア配置設定部２０５を制御し設定している。
【００３８】
ステップＳ３０１では、送信装置１０は、設定されたサブキャリア配置でデータを受信装置２０に送信する。
【００３９】
ステップＳ３０２では、受信装置２０は、設定されたサブキャリア配置で送信装置１０から受信した信号を復号する。そして、データを正常に受信（復号）できた場合はステップＳ３０３に進む。一方、データを正常に受信できなかった場合はステップＳ３０４に進む。
【００４０】
ステップＳ３０３では、受信装置２０は、正常に受信したことを示すＡｃｋを送信装置１０に送信する。一方、ステップＳ３０４では、受信装置２０は、サブキャリア配置換えの要求信号（配置変更要求信号）を送信装置１０に送信し、再び受信待機状態に戻る。なお、このとき、サブキャリアの配置を明示的に指定するデータを合わせて送信しても良い。また、サブキャリア配置換えを明示的に要求する信号でなくともよく、例えば受信エラー情報など、受信状態に関する情報を送信するよう構成してもよい（受信情報生成手段）。また、受信状態に関する情報にエラー率が含まれている場合には、エラー率が一定値を超えた場合に、送信装置１０がサブキャリアの配置換えを行うようにしてもよい。
【００４１】
例えば、各サブキャリアの受信強度は、各サブキャリアで送信されるデータフレームのプリアンブル部を利用したチャネル推定により導出可能である。そして、導出した各サブキャリアの受信強度に基づいて、サブキャリアの配置を受信装置２０において決定することができる。もちろん、予め用意されたサブキャリアの配置パターンから選択するよう構成してもよい。
【００４２】
ステップＳ３０５では、送信装置１０は、Ａｃｋを受信装置２０から受信したか否かを判定する。Ａｃｋを受信した場合には、ステップＳ３０１で送信したデータは正常に受信装置２０で受信されたと判断し、処理を終了する。一方、サブキャリア配置換えの要求信号を受信した場合にはステップＳ３０６に進む。
【００４３】
ステップＳ３０６では、送信装置１０は、サブキャリアの配置換えを行い、データの再送を行う。
【００４４】
このように、データの送信を行うことにより、再送時に受信装置２０がデータを受信できない可能性を大幅に低減することが可能となる。なお、上述のフローにおいては１データ毎に受信の有無を判定し、サブキャリアの配置を変更するよう説明した。しかし、複数の異なるデータの受信状況に基づいて、サブキャリアの配置を変更するよう構成してもよい。例えば、エラー率が予め指定された閾値を超えるか否かに基づいて、サブキャリアの配置を変更するよう構成してもよい。
【００４５】
また、サブキャリアの配置は図２に示されるものに限定されるものではない。例えば、図２（ｂ）では、パイロットサブキャリアの均等配置を優先した。しかし、同一データを伝送する各サブキャリアの周波数差（周波数間隔）が、異なるデータ各々について等しくなるよう配置を変更しても良い。
【００４６】
さらに、受信エラーが生じた場合、同一データを伝送するサブキャリアの送信強度、またはエネルギーの総和が、各データ間でほぼ等しくなるようにサブキャリアの配置換え要求をしても良い。
【００４７】
以上説明したように、第１実施形態に係る通信システムによれば、受信装置からの受信に関する情報を取得すると又は取得した情報の解析の結果により、サブキャリアの割当を変更して再送する。従って、より安定した通信を実現することが可能となる。
【００４８】
（変形例１）
変形例１では、送信装置側が主導でサブキャリアの配置を変更（更新）する例について説明する。
【００４９】
図４は、変形例１に係る無線通信システムの構成を示す図である。１０は送信装置、２０は受信装置を示している。送信装置１０および受信装置２０の各々の内部構成は図１のものとほぼ同様である。ただし、変形例１における受信装置２０のサブキャリア配置推定設定部２１５は、受信したサブキャリア信号に基づいてサブキャリアの配置を推定する機能をさらに備える点が異なる。
【００５０】
なお、以下の説明では、送信装置１０のサブキャリア配置設定部１０５および受信装置２０のサブキャリア配置推定設定部２１５は、それぞれ、予め設定されたいくつかのサブキャリアの配置の情報を記憶しているものとする。例えば、図２（ａ）のサブキャリア配置および図２（ｂ）のサブキャリア配置に対応する２つの配置情報を記憶している。
【００５１】
＜データ送信の動作フロー＞
図５は、変形例１に係る無線通信システムにおける動作フローチャートである。なお、データ送信の開始時点（初期状態）では、図２（ａ）のサブキャリア配置でデータを送信しているものとする。つまり、送信装置１０は、図２（ａ）のサブキャリア配置となるようサブキャリア配置設定部１０５を制御し設定している。また、受信装置２０は、図２（ａ）のサブキャリア配置でデータを受信するようサブキャリア配置推定設定部２１５を制御し設定している。
【００５２】
ステップＳ５０１では、送信装置１０は、設定されたサブキャリア配置でデータを受信装置２０に送信する。
【００５３】
ステップＳ５０２では、受信装置２０は、設定されたサブキャリア配置で送信装置１０から受信した信号を復号する。そして、データを正常に受信（復号）できた場合はステップＳ５０３に進む。一方、データを正常に受信できなかった場合は、再び受信待機状態に戻る。
【００５４】
ステップＳ５０３では、受信装置２０は、正常に受信したことを示すＡｃｋを送信装置１０に送信する。
【００５５】
ステップＳ５０４では、送信装置１０は、Ａｃｋを受信装置２０から受信したか否かを判定する。Ａｃｋを受信した場合には、ステップＳ３０１で送信したデータは正常に受信装置２０で受信されたと判断し、処理を終了する。一方、データを送信してから予め設定された時間内にＡｃｋを受信しなかった場合（取得できなかった場合）には、ステップＳ５０５に進む。
【００５６】
ステップＳ５０５では、送信装置１０は、予め用意されたサブキャリアの配置パターンから１つを選択し、サブキャリアの配置換えを行い、データの再送を行う。
【００５７】
このように、データの送信を行うことにより、再送時に受信装置２０がデータを受信できない可能性を大幅に低減することが可能となる。
【００５８】
なお、データ受信時には、受信装置２０のサブキャリア配置推定設定部２１５は、受信したサブキャリア信号に基づいてサブキャリアの配置を推定する。つまり、予め設定されたいくつかのサブキャリアの配置のうち、どのキャリア配置であるかを判定する。具体的には、サブキャリア間で相関を取ることによってどのパターンの配置換えが行われたかを判定する。
【００５９】
なお、上述のフローにおいては１データ毎にＡｃｋ受信の有無を判定し、サブキャリアの配置を変更するよう説明した。しかし、複数の異なるデータの受信状況（受信履歴）に基づいて、サブキャリアの配置を変更するよう構成してもよい。例えば、エラー率が予め指定された閾値を超えるか否かに基づいて、サブキャリアの配置を変更するよう構成してもよい。
【００６０】
以上説明したように、Ａｃｋを受信できなかったという、受信装置からの情報取得の結果に基づいて、サブキャリアの配置を変更するので、変形例１の構成においてもより安定した通信を実現することが可能となる。
【００６１】
（変形例２）
変形例２では、他の通信信号を検出しその帯域の送信電力を抑制するＤＡＡ（Detect and Avoidance）の機能を備える通信システムについて説明する。
【００６２】
図６は、変形例２に係る無線通信システムの構成を示す図である。１０は送信装置、２０は受信装置を示している。送信装置１０および受信装置２０の各々の内部構成は変形例１のものとほぼ同様である、ただし、送信装置１０が、ＤＡＡ部１１１を備える点が異なる。
【００６３】
なお、ＤＡＡ部１１１は、サブキャリア配置設定部１０５とＩＦＦＴ部１０７との間に配置される。そして、本通信システムとは関係の無い外部装置の通信の信号（ノイズ）を検出し、使用している周波数帯のノイズ状況を判定（取得）する。そして、ノイズが所定値を超える場合には、ノイズが大きい帯域のサブキャリアの送信を抑制するよう制御する。
【００６４】
そこで、ＤＡＡ部１１１で検出した外部装置の信号の周波数帯に、同一のデータを送信するサブキャリアの双方が含まれないようなサブキャリア配置を選択する。なお、送信装置１０のサブキャリア配置設定部１０５および受信装置２０のサブキャリア配置推定設定部２１５は、それぞれ、予め設定されたいくつかのサブキャリアの配置の情報を記憶しているものとする。
【００６５】
このような構成を採用することにより、使用している周波数帯のノイズ状況を判定し、判定結果の情報を取得し、この情報に基づいてサブキャリアの割り当てを変更するので、変形例１と同様に、より安定した通信を実現することが可能となる。
【００６６】
（他の実施形態）
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００６７】
その場合、プログラムの機能を有していれば、オブジェクトコード、インタプリタにより実行されるプログラム、ＯＳに供給するスクリプトデータ等、プログラムの形態を問わない。
【００６８】
プログラムを供給するための記録媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【００６９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００７０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７１】
【図１】第１実施形態に係る無線通信システムの構成を示す図である。
【図２】マルチパスフェージングを受けている信号の受信スペクトルを模式的に表した図である。
【図３】第１実施形態に係る無線通信システムにおける動作フローチャートである。
【図４】変形例１に係る無線通信システムの構成を示す図である。
【図５】変形例１に係る無線通信システムにおける動作フローチャートである。
【図６】変形例２に係る無線通信システムの構成を示す図である。
【図７】ＦＤＳによるデータ送信の概念図である。
【図８】ＴＤＳによるデータ送信の概念図である。
【図９】ＤＣＭによるデータ送信の概念図である。
【図１】
2009077302.tif 000003
【図２】
2009077302.tif 000004
【図３】
2009077302.tif 000005
【図４】
2009077302.tif 000006
【図５】
2009077302.tif 000007
【図６】
2009077302.tif 000008
【図７】
2009077302.tif 000009
【図８】
2009077302.tif 000010
【図９】
2009077302.tif 000011